(57)【要約】【課題】簡単な構造でエアゾール容器内に残留した内容物を確実に排出できるとともに、排出された内容物が周囲に飛散しにくいエアゾール装置を提供する。【解決手段】エアゾール容器２と、エアゾール容器２に着脱自在に装着されたカバーキャップ３と、エアゾール容器２のステム２ａを押圧可能に設けられた噴射ボタン４とを備え、カバーキャップ３は、噴射ボタン４を収容する筒状部８と、筒状部８の下端側から切り欠かれた第１のスリット１３及び第２のスリット１４とを有し、噴射ボタン４は、第１のスリット１３内に係合されたガイド突起１８と、その底面の中央部を挟んだ一方の側に配置されたステム嵌合部１９と、その他方の側に配置されたダミー嵌合部２０と、ステム嵌合部１９と連通された噴射口２２とを有する。【選択図】図１
0003137691.tif 000002
【実用新案登録請求の範囲】
【請求項１】
内容物が収容されたエアゾール容器と、
前記エアゾール容器の上部に着脱自在に装着されたカバーキャップと、
前記エアゾール容器の上部中央から突出するステムを押圧可能に設けられた噴射ボタンとを備え、
前記カバーキャップは、前記噴射ボタンを前記エアゾール容器に装着される側から上下方向に移動可能に収容する筒状部と、前記筒状部の下端側から前記噴射ボタンの移動方向に沿って切り欠かれた第１のスリット及び当該第１のスリットに平行且つ当該第１のスリットよりも短い第２のスリットとを有し、
前記噴射ボタンは、その側面に設けられて前記第１のスリット内にスライド可能に係合されたガイド突起と、その底面の中央部を挟んだ一方の側に配置されたステム嵌合部と、その他方の側に配置されたダミー嵌合部と、前記ステム嵌合部と連通された噴射口とを有し、
前記噴射ボタンを押圧操作することによって、前記噴射ボタンと一体に押し下げられた前記ステムを通じて前記エアゾール容器に収容された内容物が前記噴射口から噴射可能とされており、
前記エアゾール容器内に残留した内容物を排出するときには、前記エアゾール容器から前記カバーキャップを取り外し、前記噴射ボタンの向きを入れ替えて、前記ガイド突起を前記第２のスリットに係合させた状態で前記噴射ボタンを前記筒状部に収容した後に、前記カバーキャップを前記エアゾール容器に再装着することによって、前記第２のスリットの上端に当接されたガイド突起の移動が規制されて、前記ダミー嵌合部が前記ステムを連続的に押圧することにより、前記エアゾール容器内に残留した内容物が前記ステムから前記カバーキャップ内に噴射されることを特徴とするエアゾール装置。
【請求項２】
前記ダミー嵌合部は、前記ステムが嵌合されるステム嵌合孔を有することを特徴とする請求項１に記載のエアゾール装置。
【請求項３】
前記ダミー嵌合部のステム嵌合孔は、前記ステム嵌合部の前記ステムが嵌合されるステム嵌合孔よりも大きな径を有することを特徴とする請求項２に記載のエアゾール装置。
【請求項４】
前記ダミー嵌合部は、前記噴射ボタンとは別体に形成された部材からなることを特徴とする請求項１乃至３のいずれか一項に記載のエアゾール装置。
【請求項５】
前記ダミー嵌合部には、着色が施されていることを特徴とする請求項１乃至４のいずれか一項に記載のエアゾール装置。
【考案の詳細な説明】
【技術分野】
【０００１】
本考案は、エアゾール装置の改良に関するものである。
【背景技術】
【０００２】
一般に、エアゾール装置は、噴射ボタンを押圧することにより、エアゾール容器内のガスや液体を噴射させるものである。また、塗料や殺虫剤、化粧料等の内容物を収容するエアゾール容器には、主剤（液体や固体等からなる噴射剤以外の内容物）と噴射剤（液化石油ガス・ジメチルエーテル・イソペンタン等の可燃性ガスや、窒素・炭酸ガス等の圧縮ガス）とが充填されており、一般的に主剤がなくなり噴霧が終了した場合でも、少量の噴射剤が容器内に残留してしまう。
【０００３】
ところで、このようなエアゾール装置を廃棄する際には、ゴミ収集や圧縮処理の際の安全性を考慮して、使用者により音がしなくなるまで噴射ボタンを押し続けるか、又は、エアゾール容器に穴を開けるかといった作業によって、使用済のエアゾール容器内に残留する噴射剤を排出しなければならない。しかしながら、残留する噴射剤を手動で排出する場合は、エアゾール容器の噴射ボタンを長時間押し続けなければならず面倒である。また、噴射ボタンを長時間押し続けるには、しばしばエアゾール容器を持ち替えたりして容器内に残留する内容物を噴射しなければならず、確実に内容物を排出できない場合があった。さらに、これらの作業は手間がかかることから、エアゾール容器内に残留する内容物を完全に排出されないまま廃棄されてしまうという問題があった。
【０００４】
そこで、このような使用済のエアゾール容器内に残留した内容物（残留物）を容易且つ安全に全量排出するための残留物排出機構が提案されている（特許文献１を参照）。具体的に、特許文献１に記載のエアゾール容器の残留物排出機構は、エアゾール容器のステムに装着される円柱形状の噴射ボタンと、エアゾール容器の上部に嵌着される肩カバーとによって概略構成されている。また、噴射ボタンは突起を有し、肩カバーは噴射ボタンが挿入される円筒状の中央孔部を備えており、中央孔部を形成する環状周壁には、噴射ボタンの突起が摺動可能に差し込まれる深切欠部と浅切欠部とが設けられている。さらに、深切欠部と浅切欠部とは、中央孔部の周方向に等間隔で交互に形成されている。
【０００５】
このエアゾール容器の残留物排出機構の使用方法は、通常の使用では噴射ボタンの突起を深切欠部に嵌入させて、噴射ボタンの移動距離を長く設定する。そして噴射ボタンの押圧および解圧の操作によって、ステムの開放および閉鎖を行うことができる。一方、エアゾール容器内に残留した内容物を排出するときは、噴射ボタンの位置を変えて突起を浅切欠部に嵌入させ、噴射ボタンの移動を規制する。これにより、ステムが噴射ボタンによって常時押圧されるため、開放状態が維持される。この状態で、エアゾール容器内の残留物が放出される。
【特許文献１】特開２００２−１９３３６２号公報
【考案の開示】
【考案が解決しようとする課題】
【０００６】
しかしながら、上述したエアゾール容器の残留物放出機構では、噴射ボタンを通常の使用状態から残留した内容物の排出状態にするときには、噴射ボタンを肩カバーの中央孔部に対して周方向に回転させてセットしなければならず、また噴射ボタンが円柱形状であるために方向性がなく、位置決めが難しいという問題があった。また残留した内容物を排出するときに、エアゾール容器内に残留した内容物が周囲に飛散し、周囲の環境を汚してしまうという問題があった。
【０００７】
そこで、本考案は、上記の課題を解決するためになされたものであって、簡単な構造でエアゾール容器内に残留した内容物を確実に排出できるとともに、排出された内容物が周囲に飛散しにくいエアゾール装置を提供することを目的とする。
【課題を解決するための手段】
【０００８】
上記の目的を達成するために、請求項１にかかる考案は、内容物が収容されたエアゾール容器と、エアゾール容器の上部に着脱自在に装着されたカバーキャップと、エアゾール容器の上部中央から突出するステムを押圧可能に設けられた噴射ボタンとを備え、カバーキャップは、噴射ボタンをエアゾール容器に装着される側から上下方向に移動可能に収容する筒状部と、筒状部の下端側から噴射ボタンの移動方向に沿って切り欠かれた第１のスリット及び当該第１のスリットに平行且つ当該第１のスリットよりも短い第２のスリットとを有し、噴射ボタンは、その側面に設けられて第１のスリット内にスライド可能に係合されたガイド突起と、その底面の中央部を挟んだ一方の側に配置されたステム嵌合部と、その他方の側に配置されたダミー嵌合部と、ステム嵌合部と連通された噴射口とを有し、噴射ボタンを押圧操作することによって、噴射ボタンと一体に押し下げられたステムを通じてエアゾール容器に収容された内容物が噴射口から噴射可能とされており、エアゾール容器内に残留した内容物を排出するときには、エアゾール容器からカバーキャップを取り外し、噴射ボタンの向きを入れ替えて、ガイド突起を第２のスリットに係合させた状態で噴射ボタンを筒状部に収容した後に、カバーキャップをエアゾール容器に再装着することによって、第２のスリットの上端に当接されたガイド突起の移動が規制されて、ダミー嵌合部がステムを連続的に押圧することにより、エアゾール容器内に残留した内容物がステムからカバーキャップ内に噴射されることを特徴とするエアゾール装置である。
【０００９】
また、請求項２に係る考案において、ダミー嵌合部は、ステムが嵌合されるステム嵌合孔を有することを特徴とする請求項１に記載のエアゾール装置である。
【００１０】
また、請求項３に係る考案において、ダミー嵌合部のステム嵌合孔は、ステム嵌合部のステムが嵌合されるステム嵌合孔よりも大きな径を有することを特徴とする請求項２に記載のエアゾール装置である。
【００１１】
また、請求項４に係る考案において、ダミー嵌合部は、噴射ボタンとは別体に形成された部材からなることを特徴とする請求項１乃至３のいずれか一項に記載のエアゾール装置である。
【００１２】
また、請求項５に係る考案において、ダミー嵌合部には、着色が施されていることを特徴とする請求項１乃至４のいずれか一項に記載のエアゾール装置である。
【考案の効果】
【００１３】
以上のように、本考案の請求項１に係るエアゾール装置では、噴射ボタンが噴射口と連通されたステム嵌合部と、噴射口と連通されていないダミー嵌合部とを底面の中央部を挟んだ一方の側と他方の側とに有しており、この噴射ボタンの筒状部に収納される向きを入れ替えることによって、ダミー嵌合部をステムの直上に確実に位置させることができる。また、この噴射ボタンの向きを入れ替えたとき、ガイド突起を第１のスリットよりも短い第２のスリットに係合させることによって、カバーキャップ内の噴射ボタンが、ガイド突起を第１のスリットに係合させたときよりも低い位置に規制される。このため、カバーキャップをエアゾール容器に再装着したときには、第２のスリットの上端に当接されたガイド突起の移動が規制されて、ダミー嵌合部がステムを連続的に押圧することになる。
したがって、このエアゾール装置では、エアゾール容器内に残留した内容物をカバーキャップ内に確実に噴射させて除去すること、すなわち全量噴射ができる。また、全量噴射される場合に内容物はカバーキャップ内に排出されることから、この排出された内容物が周囲に飛散することを防止することができる。さらに、噴射ボタンの向きを入れ替える簡単な構造によってエアゾール容器内に残留した内容物を確実に排出することができる。
【００１４】
また、本考案の請求項１に係るエアゾール装置では、エアゾール容器からカバーキャップを取り外し、噴射ボタンの向きを入れ替えたときに、ステムを連続的に押圧する位置に、目印となるダミー嵌合部が配置されるため、使用者はダミー嵌合部をステムが嵌合される位置として容易に認識することができる。
ここで、噴射ボタンがこのようなダミー嵌合部を有しない場合には、噴射ボタンの向きを入れ替えたときに、ステム嵌合部がステムの直上からずれているにもかかわらず、誤認してステムをステム嵌合部に無理に嵌合させようとしてしまい、ステムを破損させるおそれが考えられる。
これに対して、噴射ボタンにステム嵌合部に擬似されたダミー嵌合部を設けることによって、噴射ボタンの向きを入れ替えたときに、ダミー嵌合部がステムと嵌合される部分であると使用者に認識させることができる。したがって、使用者がステム嵌合部にステムを誤装着することを防止することができる。
【００１５】
また、本考案の請求項２に係るエアゾール装置では、ステムが嵌合されるダミー嵌合孔をダミー嵌合部に設けることで、噴射ボタンの向きを入れ替えたときに、ダミー嵌合孔がステムと嵌合される部分であると使用者に更に容易に認識させることができる。これにより、使用者がステム嵌合部にステムを誤装着することを防止することができる。
【００１６】
また、本考案の請求項３に係るエアゾール装置では、ダミー嵌合部のステム嵌合孔がスステム嵌合部のステム嵌合孔よりも大きな径を有することによって、噴射ボタンの向きを入れ替えたときに、ダミー嵌合部がステムと嵌合される部分であると使用者に更に容易に認識させることができる。これにより、使用者がステム嵌合部にステムを誤装着することを防止することができる。また、ダミー嵌合部のステム嵌合孔がステム嵌合部のステム嵌合孔よりも大きな径を有することによって、エアゾール容器内に残留した内容物を排出するときに、ステムから噴出された内容物をダミー嵌合部からカバーキャップ内へと効率良く排出させることができる。
【００１７】
また、本考案の請求項４に係るエアゾール装置では、ダミー嵌合部を噴射ボタンとは別体に形成された部材によって構成した。この場合、ダミー嵌合部を形成する部材を噴射ボタンに取り付けることによって、噴射ボタンの向きを入れ替えたときに、ダミー嵌合部がステムと嵌合される部分であると使用者に容易に認識させることができる。これにより、使用者がステム嵌合部にステムを誤装着することを防止することができる。さらに、上述したダミー嵌合部を有しない噴射ボタンに、このようなダミー嵌合部を形成する部材を取り付けることによって、誤装着を防止できる噴射ボタンとすることができる。
【００１８】
また、本考案の請求項５に係るエアゾール装置では、ダミー嵌合部に、着色を施すことによって、使用者にダミー嵌合部がステムに嵌合される部分であることを更に容易に認識させることができる。これにより、使用者がステムをステム嵌合部に誤装着することを防止することができる。
【００１９】
以上のように、本考案によれば、簡単な構造でエアゾール容器内に残留した内容物を確実に排出できるとともに、排出された内容物が周囲に飛散しにくいエアゾール装置を提供することができる。
【考案を実施するための最良の形態】
【００２０】
以下、本考案を適用したエアゾール装置について、図面を参照して詳細に説明する。
先ず、本考案の一実施形態として図１に示すエアゾール装置１の構成について説明する。
このエアゾール装置１は、図１に示すように、内容物が収容されたエアゾール容器２と、エアゾール容器２の上部に着脱自在に装着されたカバーキャップ３と、エアゾール容器２に収容された内容物を噴射させるための噴射ボタン４とを備えている。
【００２１】
エアゾール容器２は、例えばスチールやアルミニウム等からなる金属製の耐圧容器である。このエアゾール容器２には、内容物として、例えば、制汗剤や殺虫剤、忌避剤、殺菌剤、芳香剤、消臭剤などの中から選ばれる有効成分の他に、必要に応じて溶剤や補助剤などを含む原液と、液体ガスや圧縮ガスなどの噴射剤とが充填されている。
エアゾール容器２は、上部の中央から突出するステム２ａと、このステム２ａを下方に押圧することにより開放されるバルブ機構（図示せず。）とを有し、このステム２ａを下方に押圧することにより、バルブ機構が開放される仕組みとなっている。さらに、エアゾール容器２の上端部には、外周面の周方向に亘って凹部を形成する巻締め部２ｂが設けられている。
【００２２】
カバーキャップ３は、図１、図２及び図３に示すように、略円筒状を為す外壁部５と、外壁部５の上面を覆う上壁部６と、外壁部５及び上壁部６の一部を凹ませてなる操作用凹部７と、外壁部５の内側において操作用凹部７の下面から垂下された筒状部８とを有し、これらが一体に形成されたプラスチック部材からなる。
また、外壁部５の下端内周部には、内周面のほぼ全周に亘って凸部９が設けられている。そして、カバーキャップ３は、この凸部９を上記巻締め部２ｂに嵌合させることによって、エアゾール容器２の上部に着脱自在に装着することが可能となっている。
【００２３】
外壁部５と筒状部８との前面、すなわち後述する噴射ボタン４の噴射口２２と対向する位置には、噴射口２２から噴射される内容物をカバーキャップ３の外側に放出するための円形状の噴射用開口部１０，１１が設けられている。また、噴射口２２からは内容物が放射状に噴射されるため、外壁部５側の噴射用開口部１０は筒状部８側の噴射用開口部１１よりも大径となっている。
操作用凹部７は、上壁部６の中央部分から噴射用開口部１０とは反対側の外壁部５の一部を切り欠くように形成されている。また、操作用凹部７の底面部からは、筒状部８の上端開口部８ａが外部に臨んでいる。
【００２４】
筒状部８は、カバーキャップ３がエアゾール容器２に装着される側から噴射ボタン４を上下方向に移動可能に収容する部分であり、その水平断面は、噴射ボタン４の形状に対応して前後方向に長い長円形状（レーストラック形状）を有している。具体的に、この筒状部８は、長手方向（前後方向）において互いに平行となる一対の側壁部８ｂと、短手方向（幅方向）において一対の側壁部８ｂの両端を結ぶ円弧状の周壁部８ｃとから構成されている。また、筒状部８は、カバーキャップ３の中心から後方にずらして配置されている。さらに、筒状部８の前面側には、この筒状部８と外壁部５との間を連結する一対の補強用のリブ１２が設けられている。また、一対の補強用のリブは、噴射用開口部１０、１１が形成された外壁部５と筒状部８との間の空間を仕切るように設けられている。
【００２５】
一対の側壁部８ｂには、下端側から噴射ボタン４の移動方向（上下方向）に沿って直線状に切り欠かれた一対の第１のスリット１３及び一対の第２のスリット１４が設けられている。
一対の第１のスリット１３は、一対の側壁部８ｂの中央部よりも前方側において互いに対向して配置されている。また、一対の第１のスリット１３は、その上端部１３ａが筒状部８の上端開口部８ａ近傍に位置するまで切り欠き形成されている。
【００２６】
これに対して、一対の第２のスリット１４は、一対の側壁部８ｂの中央部よりも後方側において互いに対向して配置されている。また、一対の第２のスリット１４は、図３に示す如く一対の第１のスリット１３に平行且つ第１のスリット１３よりも短く形成されている。具体的に、第２スリット１４は、上端部１４ａの高さが第１のスリット１３の上端部１３ａの高さの約三分の一程度となる位置まで切り欠き形成されている。
【００２７】
また、一対の側壁部８ｂには、筒状部８の下端開口部から内側に挿入された噴射ボタン４の抜け止めとなる一対の係合突起１５が設けられている。これら一対の係合突起１５は、一対の側壁部８ｂの第１のスリット１３と第２のスリット１４との間で互いに対向する位置に配置されて、側壁部８ｂの下端から筒状部８の内側に向かって僅かに突出して設けられている。
【００２８】
噴射ボタン４は、図１、図４及び図５に示すように、筒状部８に挿入できる形状の外壁部１６と、外壁部１６の上面を覆う上壁部１７と、外壁部１６の外側に設けられた一対のガイド突起１８と、外壁部１６の内側において上壁部１７の下面から垂下されたステム嵌合部１９及びダミー嵌合部２０とを有し、これらが一体に形成されたプラスチック部材からなる。
【００２９】
外壁部１６は、筒状部８の内側に僅かな隙間を有して噴射ボタン４が上下方向に移動可能に収容されるように、その水平断面が筒状部８よりも僅かに小さい長円形状（レーストラック形状）を有している。具体的に、この外壁部１６は、長手方向（前後方向）において互いに平行となる一対の側壁部１６ａと、短手方向（幅方向）において一対の側壁部１６ａの両端を結ぶ円弧状の周壁部１６ｂとから構成されている。
【００３０】
噴射ボタン４の前面側の周壁部１６ｂには、内容物を放射状に噴射させるための噴射ガイド２１が設けられている。この噴射ガイド２１は、外側が上記噴射用開口部１１とほぼ同径であり、且つ深さ方向に漸次縮径された円錐形状を有している。そして、この噴射ガイド２１の底部中央には、内容物を噴射する噴射口２２が設けられている。
【００３１】
一対のガイド突起１８は、一対の側壁部１６ａの下方に位置して互いに外側に向かって突出形成されている。また、一対のガイド突起１８は、一対の側壁部１６ａの中央部よりも前方側において互いに対向して配置されている。
【００３２】
ステム嵌合部１９は、略円筒状を為しており、噴射ボタン４の底面中央部を挟んだ一方の側、すなわち噴射ボタン４の底面中央部よりも前方側（噴射口２２側）に位置して設けられている。また、ステム嵌合部１９の内側には、噴射口２２と連通される連通孔１９ａが設けられている。この連通孔１９ａは、ステム嵌合部１９の上端部から長さ方向の中途部に亘って設けられている。また、ステム嵌合部１９の下端部には、ステム２ａが嵌合されるステム嵌合孔１９ｂが設けられている。このステム嵌合孔１９ｂは、連通孔１９ａの下端部と連通されると共に、この連通孔１９ａよりも大きな径を有している。また、ステム嵌合孔１９ｂの下端部には、ステム２ａをステム嵌合孔１９ｂに案内するためのテーパ面１９ｃが設けられている。さらに、連通孔１９ａとステム嵌合孔１９ｂとの間に形成される段部は、ステム２ａの先端が当接される当接面１９ｄを形成している。
【００３３】
ダミー嵌合部２０は、略円筒状を為しており、噴射ボタン４の底面中央部を挟んだ他方の側、すなわち噴射ボタン４の底面中央部よりも後方側に位置して設けられている。また、ダミー嵌合部２０の内側には、噴射口２２と連通されていない非連通孔２０ａが設けられている。この非連通孔２０ａは、ダミー嵌合部２０の上端部から長さ方向の中途部に亘って設けられている。また、ダミー嵌合部２０の下端部には、ステム２ａが嵌合されるステム嵌合孔２０ｂが設けられている。このステム嵌合孔２０ｂは、非連通孔２０ａの下端部と連通されると共に、この非連通孔２０ａよりも大きな径を有している。また、ステム嵌合孔２０ｂの下端部には、ステム２ａをステム嵌合孔２０ｂに案内するためのテーパ面２０ｃが設けられている。さらに、非連通孔２０ａとステム嵌合孔２０ｂとの間に形成される段部は、ステム２ａの先端が当接される当接面２０ｄを形成している。
【００３４】
ダミー嵌合部２０の外周部には、このダミー嵌合部２０と外壁部１６との間を連結する補強用のリブ２５、２６が設けられている。そして、これら補強用のリブ２５、２６は、ステム２ａを当接するための当接面２０ｄとほぼ同じ高さで形成されている。
【００３５】
次に、以上のような構成を有するエアゾール装置１の通常使用状態及び使用方法について図１を参照しながら説明する。
このエアゾール装置１を正常使用する際は、先ず、カバーキャップ３の下端側から噴射ボタン４を筒状部８の内側に挿入しておく。このとき、噴射ボタン４の向きは、噴射口２２を前方に向けた状態、すなわち噴射口２２と筒状部８の噴射用開口部１１が対向する向きとする。これにより、噴射ボタン４は一対のガイド突起１８が一対の第１のスリット１３に係合された状態で、筒状部８内に上下方向に移動可能に収容されることになる。
次に、このカバーキャップ３をエアゾール容器２の上部に装着しておく。これにより、エアゾール容器２のステム２ａが、噴射ボタン４のステム嵌合部１９が有するステム嵌合孔１９ｂに嵌合されると共に、ステム２ａの先端がステム嵌合部１９の当接面１９ｄに当接された状態となる。
【００３６】
次に、エアゾール容器２に収容された内容物を通常使用時に噴射するときは、噴射ボタン４を下方に向かって押圧操作する。これにより、噴射ボタン４と一体に押し下げられたステム２ａを通じて、エアゾール容器２に収容された内容物がステム嵌合部１９の連通孔１９ａを通じて噴射口２２から噴射される。また、内容物の噴射を止めるときは、上述した噴射ボタン４に対する押圧を解除する。これにより、噴射ボタン４と一体に押し下げられたステム２ａが再び元の位置に戻って噴射が終了する。
【００３７】
次に、エアゾール容器２が使用済みとなり、エアゾール容器２内に残留した内容物を排出するときのエアゾール装置１の使用方法について図６を参照しながら説明する。
エアゾール容器２内に残留した内容物を排出する際は、先ず、エアゾール容器２からカバーキャップ３を取り外し、さらにカバーキャップ３から噴射ボタン２を取り外す。次に、噴射ボタン４の向きを入れ替えて、すなわち噴射ボタン４の噴射口２２が筒状部８の噴射用開口部１１とは反対側に向くようにして、この噴射ボタン４をカバーキャップ３の下端側から筒状部８の内側に挿入する。これにより、噴射ボタン４は、一対のガイド突起１８が一対の第２のスリット１４に係合された状態で筒状部８内に収容されることになる。そして、このカバーキャップ３をエアゾール容器２上部に再装着する。これにより、エアゾール容器２のステム２ａが噴射ボタン４のダミー嵌合部２０が有するステム嵌合孔２０ｂに嵌合されると共に、ステム２ａの先端がダミー嵌合部２０の当接面２０ｄに当接された状態となる。さらに、一対のガイド突起１８は、一対の第２のスリット１４の上端１４ａに当接されることによって、その移動が規制される。これにより、ダミー嵌合部２０がステム２ａを連続的に押圧することになる。したがって、このエアゾール装置１では、エアゾール容器２内に残留した内容物がステム２ａからカバーキャップ２内に噴射されることになる。このようにして残留した内容物を全量噴射した後は、エアゾール装置１を安全に廃棄することができる。
【００３８】
以上のように、本考案を適用したエアゾール装置１では、噴射ボタン４が噴射口２２と連通されたステム嵌合部１９と、噴射口２２と連通されていないダミー嵌合部２０とを底面の中央部を挟んだ一方の側と他方の側とに有しており、この噴射ボタン４の筒状部８に収納される向きを入れ替えることによって、ダミー嵌合部２０をステム２ａの直上に確実に位置させることができる。また、この噴射ボタン４の向きを入れ替えたとき、ガイド突起１８を第１のスリット１３よりも短い第２のスリット１４に係合させることによって、カバーキャップ３内の噴射ボタン４が、ガイド突起１８を第１のスリット１３に係合させたときよりも低い位置に規制される。このため、カバーキャップ３をエアゾール容器２に再装着したときには、第２のスリット１４の上端１４ａに当接されたガイド突起１８の移動が規制されて、ダミー嵌合部２０がステム２ａを連続的に押圧することになる。
【００３９】
ここで、図７（Ａ）、（Ｂ）に示すようなダミー嵌合部が設けられていない噴射ボタン３０を用いて、エアゾール容器２内に残留した内容物を排出しようとした場合には、噴射ボタン３０の向きを入れ替えたときに、ステム嵌合部１９の位置がステム２ａの直上からずれているにもかかわらず、このステム嵌合部１９にステム２ａを嵌合するものと誤認してステム２ａを無理やりステム嵌合部１９に嵌合させようとして、ステム２ａを破損させてしまうおそれがある。なお、図７においては、上記エアゾール装置１と同等の部位については説明を省略すると共に、同じ符号を付すものとする。
【００４０】
これに対して、本考案を適用したエアゾール装置１では、噴射ボタン４にステム嵌合部１９のステム嵌合孔１９ｂに擬似されたダミー嵌合部２０のステム嵌合孔２０ｂを設けることによって、このダミー嵌合部２０がステム２ａと嵌合される部分であると使用者に容易に認識させることができる。したがって、使用者がステム２ａをステム嵌合部１９に誤装着することを防止することができる。
【００４１】
したがって、このエアゾール装置１では、エアゾール容器２内に残留した内容物をカバーキャップ３内に確実に全量噴射させることができる。また、全量噴射された内容物はカバーキャップ３内に排出されることから、この排出された内容物が周囲に飛散することを防止することができる。さらに、噴射ボタン４の向きを入れ替える簡単な構造によってエアゾール容器２内に残留した内容物を確実に排出することができる。
【００４２】
なお、本考案を適用したエアゾール装置は、上記実施形態のものに必ずしも限定されるものではなく、本考案の趣旨を逸脱しない範囲において種々の変更を加えることが可能である。なお、以下の説明では、上記エアゾール装置１と同等の部位については説明を省略すると共に、図面において同じ符号を付すものとする。
【００４３】
上記ダミー嵌合部２０は、例えば、図８に示すような断面四角形となる複数のリブ４１をダミー嵌合部４２の外周囲に放射形状に取り付けたものや、図９に示すような断面三角形となる複数のリブ４３をダミー嵌合部４４の外周囲に放射形状に取り付けたものであってもよい。
【００４４】
また、上記ダミー嵌合部２０は、上記非連通孔２０ａを円筒状としたもの以外にも、例えば、図１０に示すような略三角柱状としたものであってもよい。このように、上記ダミー嵌合部５０の非連通孔５０ａの形状を上記ステム嵌合部１９の連通孔１９ａの形状とは異なる形状とすることによって、噴射ボタン４を入れ替えたときに、ダミー嵌合部５０がステム２ａと嵌合される部分であると使用者に更に容易に認識させることができる。これにより、使用者がステム嵌合孔にステムを誤装着することを防止することができる。
【００４５】
また、上記ダミー嵌合部２０は、ステム嵌合孔２０ｂを有した構成となっているが、このような構成に限定されるものではなく、例えば、図１１に示すような、ステム嵌合孔を有しない構成であってもよい。この場合も、ダミー嵌合部６０の非連通孔６０ａをステム２ａと嵌合される部分であると使用者に認識させることができるため、使用者がステム嵌合部１９にステム２ａを誤装着することを防止することができる。
【００４６】
また、上記ダミー嵌合部２０は、上記ステム嵌合孔２０ｂが上記ステム嵌合部１９のステム嵌合孔１９ｂよりも大きな径を有することが好ましい。この場合、噴射ボタン４の向きを入れ替えたときに、ダミー嵌合部２０がステム２ａと嵌合される部分であると使用者に更に容易に認識させることができる。これにより、使用者がステム嵌合部１９にステム２ａを誤装着することを防止することができる。また、ダミー嵌合部２０のステム嵌合孔２０ｂがステム嵌合部１９のステム嵌合孔１９ｂよりも大きな径を有することによって、エアゾール容器２内に残留した内容物を排出するときに、ステム２ａから噴出された内容物をダミー嵌合部２０からカバーキャップ３内へと効率良く排出させることができる。
【００４７】
また、上記ダミー嵌合部２０は、噴射ボタン４と一体に形成された構成となっているが、このような構成に限定されるものではなく、例えば、図１２に示すように、ダミー嵌合部２０が噴射ボタン４とは別体に形成されたダミー部材７０からなる構成であってもよい。このダミー部材７０は、ダミー嵌合部７１を有し、上述した図７に示す噴射ボタン３０の底面部に取り付けることによって、噴射ボタン３０の向きを入れ替えたときに、ダミー嵌合部７１がステム２ａと嵌合される部分であると使用者に容易に認識させることができる。したがって、上述したダミー嵌合部を有しない噴射ボタン３０に、このようなダミー部材７０を取り付けることによって、誤装着を防止できる噴射ボタン３０とすることができる。
【００４８】
さらに、上記ダミー嵌合部２０および擬似部材７０は、使用者にダミー嵌合部がステムに嵌合される部分であることを更に容易に認識させるため、着色が施されたものであってもよい。これにより、使用者がステムをステム嵌合孔に誤装着することを防止することができる。
【００４９】
なお、上記噴射ボタン４および筒状部８は、その形状について特にこれに限定されるものではなく、上述した外壁部１６の水平断面が長円形状となるもの以外にも、例えば円形、楕円形、長方形等となるものであってもよい。何れの形状も、噴射ボタン４の向きを入れ替えたときに、噴射ボタン４が筒状部８に収容可能なものであればよく、上記一対のガイド突起１８が一対の第１のスリット１３又は第２のスリット１４に入れ替え可能に係合されて、ステム嵌合部１９とダミー嵌合部２０との位置がステム２ａの直上に対して入れ替わるものであればよい。
【実施例】
【００５０】
本実施例では、本考案を適用したエアゾール装置のエアゾール容器に収容される内容物の処方例を以下の表１に示す。
【００５１】
【表１】
0003137691.tif 000003
【００５２】
本実施例によれば、エアゾール容器の廃棄時に、力の弱い使用者でも容易に継続的な噴射が可能となり、使用済みのエアゾール容器についで簡単に残留噴射剤が総て排出された状態で廃棄することができる。
【図面の簡単な説明】
【００５３】
【図１】図１は、本考案の一実施形態として示すエアゾール装置の縦断面図である。
【図２】図２は、図１に示すエアゾール装置のカバーキャップを示す底面図である。
【図３】図３は、図２中のＡ−Ａ’線に沿ったカバーキャップの縦断面図である。
【図４】図４は、図１に示すエアゾール装置の噴射ボタンを示す底面図である。
【図５】図５は、図４中のＢ−Ｂ’線に沿った噴射ボタンの縦断面図である。
【図６】図６は、図１に示すエアゾール装置の残留した内容物を排出するときの縦断面図である。
【図７】図７は、ダミー嵌合部を有さない噴射ボタンを示し、（Ａ）はその底面図、（Ｂ）は（Ａ）中のＣ−Ｃ’線に沿った縦断面図である。
【図８】図８は、噴射ボタンの一変形例を示す底断面図である。
【図９】図９は、噴射ボタンの別の変形例を示す底断面図である。
【図１０】図１０は、噴射ボタンの別の変形例を示し、（Ａ）はその底面図、（Ｂ）は（Ａ）中のＤ−Ｄ’線に沿った縦断面図である。
【図１１】図１１は、噴射ボタンの別の変形例を示し、（Ａ）はその底面図、（Ｂ）は（Ａ）中のＥ−Ｅ’線に沿った縦断面図である。
【図１２】図１２は、噴射ボタンの別の変形例を示し、（Ａ）は、その底面側から見た分解斜視図、（Ｂ）は、その底面側から見た斜視図である。
【符号の説明】
【００５４】
１・・・エアゾール装置、２・・・エアゾール容器、２ａ・・・ステム、３・・・カバーキャップ、４・・・噴射ボタン、８・・・筒状部、１３・・・第１のスリット、１４・・・第２のスリット、１８・・・ガイド突起、１９・・・ステム嵌合部、２０・・・ダミー嵌合部、１９ｂ，２０ｂ・・・ステム嵌合孔、２２・・・噴射口、３０・・・噴射ボタン、４１，４３・・・リブ、４２，４４，５０，６０・・・ダミー嵌合部、５０ａ，６０ａ・・・連通孔、７０・・・ダミー部材、７１・・・ダミー嵌合部、７１ｂ・・・ステム嵌合孔
【図１】
0003137691.tif 000004
【図２】
0003137691.tif 000005
【図３】
0003137691.tif 000006
【図４】
0003137691.tif 000007
【図５】
0003137691.tif 000008
【図６】
0003137691.tif 000009
【図７】
0003137691.tif 000010
【図８】
0003137691.tif 000011
【図９】
0003137691.tif 000012
【図１０】
0003137691.tif 000013
【図１１】
0003137691.tif 000014
【図１２】
0003137691.tif 000015